(57)【特許請求の範囲】
【請求項１】
水道水が流れる流路を開閉する水栓本体に取付けられる管状の水栓用ノズルであって、
水栓本体に、該水栓本体の流路の中心軸に関して回動可能に取り付けられる基端と、
前記基端から前記中心軸に直交する方向の一側に向かって湾曲する胴部と、
前記胴部を介して前記水栓本体から水道水を噴出する先端と、
前記基端内に設けられ、前記水栓本体の流路を前記胴部の内側に接続する管状の内管と、
を備え、
前記基端の前記直交する方向の他側に管の内外に貫通する貫通孔が設けられ、
前記貫通孔は、前記内管の外側に位置することを特徴とする水栓用ノズル。
【請求項２】
前記貫通孔は、径０．５〜５ｍｍの断面を有することを特徴とする、請求項１に記載の水栓用ノズル。
【請求項３】
前記内管は、前記基端の内径より小さい外径を有することを特徴とする、請求項１又は２に記載の水栓用ノズル。
【請求項４】
請求項１から３のいずれか一項に記載の水栓用ノズルと、
前記水栓用ノズルの基端が接続される前記水栓本体と、
を備える水栓。
【発明の詳細な説明】
【技術分野】
【０００１】
本発明は、水道水が流れる流路を開閉する水栓本体に取付けられる管状の水栓用ノズル及びこれを備える水栓に関する。
【背景技術】
【０００２】
水栓（蛇口とも呼ぶ）により水道水が流れる流路を開閉することで、水栓用ノズル（単にノズルとも呼ぶ）から水道水が噴出される。小学校等を含む教育施設、公園等の公共施設では、水栓本体に回動可能に取り付けられるノズルを備える万能型水栓が多く利用されている（例えば、特許文献１）。
【０００３】
万能型水栓を使用する際、ノズルを回動して先端を上側に向け、ハンドルを回して水道水を出すことがある。その場合、ノズル内に残水が残り、その状態で放置される。再度、ハンドルを回して水道水を出すと、残水がノズルから噴出されることとなる。小学校、公園等の施設では児童が水栓から出る水道水を直接飲むことがあるため、万能型水栓の使用は衛生上好ましくない。なお、水栓の使用後、ノズルを回動して先端を下向きにすることを注意している施設もあるが、十分に徹底されていないのが現状である。
【先行技術文献】
【特許文献】
【０００４】
【特許文献１】特開２００６−２１４１７７号公報
【発明の概要】
【発明が解決しようとする課題】
【０００５】
本発明は、残水を排出して衛生を維持可能な水栓本体に取付けられる水栓用ノズル及びこれを備える水栓を提供することを課題とする。
【課題を解決するための手段】
【０００６】
本発明の水栓用ノズルは、水道水が流れる流路を開閉する水栓本体に取付けられる管状の水栓用ノズルであって、水栓本体に、この水栓本体の流路の中心軸に関して回動可能に取り付けられる基端と、基端から中心軸に直交する方向の一側に向かって湾曲する胴部と、胴部を介して水栓本体から水道水を噴出する先端と、を備え、基端の直交する方向の他側に管の内外に貫通する貫通孔が設けられていることを特徴とする。
【０００７】
これによれば、基端が水栓本体にその流路の中心軸に関して回動可能に取り付けられ、胴部が基端から中心軸に直交する方向の一側に向かって湾曲し、胴部を介して水栓本体からの水道水を先端から噴出する水栓用ノズルにおいて、基端の直交する方向の他側に管の内外に貫通する貫通孔が設けられていることで、ノズルの先端を上側に向けた状態で水栓本体の流路を開いて水道水を噴出した後、胴部に残った水道水を基端の貫通孔から排出することができる。
【０００８】
本発明の水栓用ノズルは、貫通孔は、径０．５〜５ｍｍの断面を有することを特徴とする。
【０００９】
これによれば、貫通孔が径０．５〜５ｍｍの断面を有することで、胴部に残った水道水を貫通孔から排出することができる。ここで「径」」は、貫通孔が断面円形であればその円の直径である。断面円形でない場合には、最小の径が０．５ｍｍ以上で、最大の径が５ｍｍ以下とする。
【００１０】
本発明の水栓用ノズルは、基端内に設けられ、水栓本体の流路を胴部の内側に接続する管状の内管をさらに備え、貫通孔は、内管の外側に位置することを特徴とする。
【００１１】
これによれば、水栓本体の流路を胴部の内側に接続する管状の内管が基端内に設けられ、貫通孔は内管の外側に位置することで、ノズルの先端を下側に向けた状態で水栓本体の流路を開いて水道水を噴出した際に、水道水を、上側に向いた貫通孔から噴出することなく内管を介して水栓本体から胴部に流すことができる。
【００１２】
本発明の水栓用ノズルは、内管は、基端の内径より小さい外径を有することを特徴とする。
【００１３】
これによれば、内管は基端の内径より小さい外径を有することで、ノズルの先端を上側に向けた状態で水栓本体の流路を開いて水道水を噴出した後、胴部に残った水道水を内管と基端との間隙を介して基端の貫通孔から排出することができる。
【００１４】
また、本発明の水栓は、本発明の水栓用ノズルと、水栓用ノズルの基端が接続される水栓本体と、を備える水栓である。
【発明の効果】
【００１５】
本発明の水栓用ノズル及び水栓によれば、残水を排出して衛生を維持することが可能となる。
【図面の簡単な説明】
【００１６】
【図１】図１は、本実施形態に係る水栓の内部構成を示す図である。
【図２】図２は、水栓の使用例を示す図である。
【発明を実施するための形態】
【００１７】
以下、本発明の一実施形態について説明する。
【００１８】
図１に、本実施形態に係る水栓１の構成を示す。水栓１は、水道水が流れる流路を開閉して水道水を出水及び止水する栓具であり、水栓本体１０及び水栓用ノズル（単にノズルとも呼ぶ）２０から構成される。
【００１９】
水栓本体１０は、本体１１、スピンドル１５、こま１６、及びハンドル１４を含んで構成される。
【００２０】
本体１１は、水道水が通る流路１０ａ，１０ｂを内部に形成する円形断面を有する管状部材であり、左側にノズルが固定される先端１１ａ、中央上側に流路１０ｂに繋がる空間を有する頭部１１ｂ、外向きに張り出し形成されたフランジ１１ｃ、右側に本体１１を壁等に固定するための基端１１ｄを有する。先端１１ａの外周には、パイプナット２３の雌ネジ（不図示）に螺入される雄ネジ（不図示）が形成され、内側にはパッキン１３が嵌め込まれる段部が形成されている。頭部１１ｂは、スピンドル本体１５ａの雄ネジ（不図示）が螺入される雌ネジ（不図示）が内面に形成された円筒形状の部材であり、中央に円形開口が形成された上面により塞がれている。フランジ１１ｃは、基端１１ｄを壁等に設けられた孔部に差込み、本体１１を壁に対して位置決めする。基端１１ｄは、壁等に差し入
れ、壁等の内部に設けられた流管に接続される。
【００２１】
本体１１の内部は、流路１０ａ，１０ｂを区画する隔壁１２が設けられている。隔壁１２は、頭部１１ｂの右側が接続する本体１１の上側内面と先端１１ａの近傍の下側内面との間に設けられる。隔壁１２の中央は、後述するスピンドル１５の回転軸に対して直交する一面を有し、その一面の中央、すなわちスピンドル１５の回転軸上に位置する円形の開口１２ａが設けられている。
【００２２】
スピンドル１５は、隔壁１２の開口１２ａを開閉する部材であり、縦方向を長手とする円柱形状の軸体及び軸体の下端に大径の円柱形状のスピンドル本体１５ａを有する。スピンドル本体１５ａの外面には、本体１１の頭部１１ｂの雌ネジ（不図示）に螺入する雄ネジ（不図示）が形成されている。スピンドル本体１５ａの下端に後述するこま１６を取付け、スピンドル本体１５ａを頭部１１ｂに入れ、軸体を頭部１１ｂの上面の開口及び円錐台状の三角パッキン１８の孔部に通し、三角パッキン１８を介してカバーナット１７を頭部１１ｂに固定することで、スピンドル１５が本体１１に取り付けられる。
【００２３】
こま１６は、開口１２ａの周囲の隔壁１２の上面に密着して、開口１２ａを塞いで止水するための部材であり、スピンドル１５の下端に着脱可能に固定される円柱形状の軸体及びその下端に取り付けられるパッキン１６ａを有する。パッキン１６ａは、一例として、ゴムなどの樹脂より円板又は円環状に形成される。
【００２４】
ハンドル１４は、スピンドル１５を回転するための部材であり、例えば上面視において三又形状を有する。ハンドル１４は、中央に設けられた開口にスピンドル１５の軸体の上端を通して、ビス１４ａを用いてスピンドル１５に固定される。
【００２５】
上述の構成の水栓本体１０において、ハンドル１４を操作してスピンドル１５を回転し、スピンドル本体１５ａを上下動することで、隔壁１２の開口１２ａを開閉することができる。スピンドル本体１５ａを上げてこま１６を隔壁１２から離間し、開口１２ａを開けることで流路１０ａ，１０ｂが繋がり、本体１１の基端１１ｄから先端１１ａに水道水が流れる。スピンドル本体１５ａを下げてこま１６のパッキン１６ａの下面を隔壁１２に密着して開口１２ａを閉じることで、流路１０ａ，１０ｂが隔てられて止水される。
【００２６】
ノズル２０は、ノズル本体２１及び内管２２を有する。
【００２７】
ノズル本体２１は、水栓本体１０に取付けられる管状の部材であり、水栓本体１０に固定される基端２１ｃ、水道水が流れる流路２０ａを内部に有する胴部２１ｂ、及び水道水を噴出する先端２１ａを有する。
【００２８】
基端２１ｃは、直管形状を有し、円環又は円筒状のパッキン１３を介して水栓本体１０の本体１１の先端１１ａに差し入れられ、パイプナット２３により水栓本体１０の流路１０ｂの中心軸に関して回動可能に取り付けられる。基端２１ｃの内側には、内向きに張り出すリング状の凸部２１ｄが形成されている。
【００２９】
基端２１ｃの上下方向の一側（図１では上側）に管の内外に貫通する貫通孔２１ｅが設けられている。貫通孔２１ｅは、一例として、直径１〜３ｍｍの円形断面を有する。それにより、後述するように、胴部２１ｂに残った水道水を貫通孔２１ｅから排出することができる。円形断面でない場合には、方向によって径（数学的には同一方向の直線が断面を切断する長さの最大値）が相違するが、最小で０．５ｍｍ、最大で５ｍｍとなることが好ましい。
【００３０】
胴部２１ｂは、基端から上下方向の他側（図１では下側）に向かって湾曲する。
【００３１】
先端２１ａは、胴部２１ｂを介して水栓本体１０から送り出される水道水を噴出する部分であり、外向きに張り出してホース等に差し入れて固定するためのフランジが形成されている。
【００３２】
内管２２は、先端が傾斜して形成され、基端２１ｃの内径より小さい（例えば１〜２ｍｍ小さい）外径を有する管状の部材であり、基端２１ｃ内に固定されて、水栓本体１０の流路１０ｂを胴部２１ｂの内側（すなわち、流路２０ａ）に接続する。内管２２は、一例としてプラスチック等の樹脂を用いて成形される。内管２２は、傾斜した先端面を胴部２１ｂが湾曲する方向に向けて、凸部２１ｄに嵌め入れることで基端２１ｃ内に固定される。
【００３３】
内管２２の長さは任意であるが、基端２１ｃ内に固定された際に、基端２１ｃの貫通孔２１ｅが内管２２の外側に位置するよう固定されるものとする。それにより、図１のようにノズル２０の先端２１ａを下側に向けた状態で水栓本体１０の流路１０ａ，１０ｂを開いて水道水を噴出した際に、水道水を、上側に向いた貫通孔２１ｅから噴出することなく内管２２を介して水栓本体１０から胴部２１ｂに流すことができる。
【００３４】
図２に、水栓１の一使用例を示す。ノズル２０の基端２１ｃを回動して先端２１ａを上側に向け、この状態においてハンドル１４を回して水栓本体１０の流路１０ａ，１０ｂを開けて水道水を噴出する。その後、ハンドル１４を逆に回して水栓本体１０の流路１０ａ，１０ｂを閉じて止水する。この時、ノズル２０の胴部２１ｂに水道水が残る。この残水は、ノズル２０の基端２１ｃと内管２２との間隙を介して基端２１ｃの貫通孔２１ｅからノズル２０外に排出される。
【００３５】
以上詳細に説明したように、本実施形態の水栓用ノズル２０によれば、水栓本体１０に、この水栓本体１０の流路１０ｂの中心軸に関して回動可能に取り付けられる基端２１ｃ、基端２１ｃから中心軸に直交する方向の一側に向かって湾曲する胴部２１ｂ、及び胴部２１ｂを介して水栓本体１０から水道水を噴出する先端２１ａを備え、基端２１ｃの直交する方向の他側に管の内外に貫通する貫通孔２１ｅが設けられている。これにより、ノズル２０の先端２１ａを上側に向けた状態で水栓本体１０の流路１０ａ，１０ｂを開いて水道水を噴出した後、胴部２１ｂに残った水道水を基端２１ｃの貫通孔２１ｅからノズル２０外に排出することができる。
【００３６】
また、本実施形態に係る水栓１は、水栓用ノズル２０及びこの基端２１ｃが接続される水栓本体１０を備える。これにより、ノズル２０の胴部２１ｂの残水を排出して衛生を維持することができる。
【００３７】
なお、内管２２は、基端２１ｃの内径より小さい内径を有することで、内管２２を基端２１ｃの内部に固定することで、流管が狭められて節水効果も得られる。
【００３８】
なお、ノズル２０の基端２１ｃに設けられた凸部２１ｄは１つに限らず複数、流路に沿って並設してもよい。ただし、最もノズル２０の先端２１ａ側に位置する凸部は、貫通穴２１ｅより基端２１ｃ側に位置するものとする。それにより、内管２２を基端２１ｃに固定することができる。
【産業上の利用可能性】
【００３９】
本発明の水栓用ノズル及び水栓は、残水を排出して衛生を維持するのに好適である。
【符号の説明】
【００４０】
１    水栓
１０    水栓本体
１０ａ  流路
１０ｂ  流路
１１    本体
１１ａ  先端
１１ｂ  頭部
１１ｃ  フランジ
１１ｄ  基端
１２    隔壁
１２ａ  開口
１３    パッキン
１４    ハンドル
１４ａ  ビス
１５    スピンドル
１５ａ  スピンドル本体
１６    こま
１６ａ  パッキン
１７    カバーナット
１８    三角パッキン
２０    水栓用ノズル（ノズル）
２０ａ  流路
２１    ノズル本体
２１ａ  先端
２１ｂ  胴部
２１ｃ  基端
２１ｄ  凸部
２１ｅ  貫通孔
２２    内管
２３    パイプナット
【要約】
【課題】残水を排出して衛生を維持可能な水栓本体に取付けられる水栓用ノズル及びこれを備える水栓を提供する。
【解決手段】水栓用ノズル２０は、水栓本体１０に、この水栓本体１０の流路１０ｂの中心軸に関して回動可能に取り付けられる基端２１ｃ、基端２１ｃから中心軸に直交する方向の一側に向かって湾曲する胴部２１ｂ、及び胴部２１ｂを介して水栓本体１０から水道水を噴出する先端２１ａを備え、基端２１ｃの直交する方向の他側に管の内外に貫通する貫通孔２１ｅが設けられている。これにより、ノズル２０の先端２１ａを上側に向けた状態で水栓本体１０の流路１０ａ，１０ｂを開いて水道水を噴出した後、胴部２１ｂに残った水道水を基端２１ｃの貫通孔２１ｅからノズル２０外に排出することができる。
【選択図】図１【図１】
0005976250.tif 000002
【図２】
0005976250.tif 000003